(57)【要約】【課題】  ラジエータの熱を利用する従来の装置は、車両を改造する必要があり、コストが高く、エンジントラブルの虞もあり、利用し難いものであった。【解決手段】  車両に収容可能なサイズとされた貯水タンク１と、この貯水タンク１の貯水槽１ａの内面に取り付けた液体加熱用ヒータ２ａ，２ｂとを備えるとともに、前記液体加熱用ヒータ２ａ，２ｂの端子部２ｃに、一端に車両のシガーソケット若しくは家庭用コンセントに接続可能なプラグ３ａが取り付けられたケーブル３を接続した構成のシャワー用水加熱装置Ｓを用いる。【効果】  車両の改造を必要とせず、シガーソケット等から電源が取れるので簡単に利用することができる。また、車両のトランクなどに載せて運搬可能で、目的地に到着するまでにシャワー用水を適温に加熱することができる。【選択図】        図１
2010048489.tif 000002
【特許請求の範囲】
【請求項１】
車両に収容可能なサイズとされた貯水タンクと、この貯水タンクの貯水槽の内面に取り付けた液体加熱用ヒータとを備えるとともに、前記液体加熱用ヒータの端子部に、一端に車両のシガーソケット若しくは家庭用コンセントに接続可能なプラグが取り付けられたケーブルを接続したことを特徴とするシャワー用水加熱装置。
【請求項２】
前記液体加熱用ヒータは、前記貯水槽の内面に取り付けられた所要の形状のシースヒータであって、高容量ヒータと低容量ヒータの２系統からなり、前記高容量ヒータは前記低容量ヒータよりも前記貯水槽の底面からの高さが高い位置に取り付けられ、さらに、何れの系統のヒータを使用するかを選択する容量切替スイッチを備えたことを特徴とする請求項１に記載のシャワー用水加熱装置。
【請求項３】
前記貯水槽内の水温を検出する温度制御用センサと、前記貯水槽内の水温を設定する温度調節器と、前記温度制御用センサによる検出温度と前記温度調節器による設定温度を比較して前記液体加熱用ヒータへの通電をＯＮ／ＯＦＦ制御する温度制御手段とを備えたことを特徴とする請求項１又は２に記載のシャワー用水加熱装置。
【請求項４】
前記貯水槽の底面付近に、水温が所定の上限温度よりも上昇していることを検出する過熱防止用センサをさらに設け、前記過熱防止用センサが上限温度以上の水温を検出したときは前記液体加熱用ヒータへの通電をＯＦＦとする過熱防止手段を備えたことを特徴とする請求項３に記載のシャワー用水加熱装置。
【請求項５】
前記貯水タンクの上部を覆う蓋を備え、前記蓋に小窓とエアー抜き用の孔を設けたことを特徴とする請求項１〜４の何れかに記載のシャワー用水加熱装置。
【請求項６】
前記貯水タンクの底又は外側面の所要の位置に車輪を取付けて、前記貯水タンクの底を地面から浮かせた状態としたことを特徴とする請求項１〜５の何れかに記載のシャワー用水加熱装置。
【請求項７】
前記液体加熱用ヒータの接液部は、ＳＵＳ３１６ステンレス鋼により構成されることを特徴とする請求項１〜６の何れかに記載のシャワー用水加熱装置。
【発明の詳細な説明】
【技術分野】
【０００１】
本発明は、車両のトランクなどに載せて運搬可能で、目的地に到着するまでにシャワー用水を適温に加熱することができるシャワー用水加熱装置に関する。
【背景技術】
【０００２】
海水浴や釣り、ウインドサーフィン、スキューバダイビング、ジェットスキー等のマリンスポーツなどに出かける場合、現地にシャワー施設が無いことがある。
【０００３】
このような場合、従来は、熱湯をポリタンクやクーラーボックスに入れて目的地まで持参し、身体に付着した塩水や汗を流したり、冷えた身体を暖めるためのシャワー用水として使用していた。
【０００４】
また、従来、例えば下記特許文献１には、水を入れる温水タンクを車両に搭載し、その温水タンク内にヒータコアを設けるとともに、エンジンの冷却水をヒータコアに循環させるように構成した、ラジエータの熱を利用した車両用温水利用設備が提案されている。
【特許文献１】特開平７−１５６７２４号公報
【０００５】
しかし、上記した従来の方法の内、先ず、熱湯をポリタンクやクーラーボックスに入れて持参する方法は、目的地に到着するまでに水の温度がかなり下がってしまうため、シャワー用水として使用するには冷たすぎるという問題があった。特に、夏以外のシーズンでも行うマリンスポーツの場合、外気温と同じくらいの温度まで下がってしまった水は、再度加熱しない限り使用することはできなかった。そのため、海岸で火を起こして、持参した水を鍋などに移して適温になるまで加熱していたが、その間、寒い海岸で待つ必要があり、極めて不便であった。
【０００６】
一方、ラジエータの熱を利用した温水装置は、車両の改造が必要となるため、コストが高くなり、簡単には利用できないという問題があった。また、ラジエータの機能を低下させてしまうため、エンジントラブルとなる虞もあった。
【０００７】
本発明は、上記した従来の問題点に鑑みてなされたものであり、車両を改造する必要がなく、簡単に利用可能で、目的地に到着するまでにシャワー用水を適温まで加熱することができるシャワー用水加熱装置を提供することを目的としている。
【発明の開示】
【発明が解決しようとする課題】
【０００８】
本発明が解決しようとする課題は、（１）熱水をポリタンク等に入れて持参する従来の方法は、目的地に到着する頃には水の温度が下がってしまい、夏以外のシーズンにおいては再加熱する必要があり、不便であった点、（２）従来の車両用温水利用設備は、車両を改造する必要があり、コストが高く、エンジントラブルの虞もあり、利用し難い点などである。
【課題を解決するための手段】
【０００９】
上記の目的を達成するため、本発明のシャワー用水加熱装置は、
車両に収容可能なサイズとされた貯水タンクと、この貯水タンクの貯水槽の内面に取り付けた液体加熱用ヒータとを備えるとともに、前記液体加熱用ヒータの端子部に、一端に車両のシガーソケット若しくは家庭用コンセントに接続可能なプラグが取り付けられたケーブルを接続したことを最も主要な特徴点としている。
【発明の効果】
【００１０】
本発明のシャワー用水加熱装置は、貯水タンクの貯水槽に適量の水を入れ、車両のトランク、座席などに積み込んで運搬することができる。また、貯水タンクの内面に取り付けた液体加熱用ヒータの端子部が、車両のシガーソケット若しくは家庭用コンセントに接続可能なプラグが取り付けられたケーブルと接続されているので、例えば車両を走行させながら液体加熱用ヒータにシガーソケットからの電源を供給すると、液体加熱用ヒータの温度が上昇し、目的地に到着するまでの例えば１〜２時間内に、貯水槽内の水をシャワーに適した温度まで加熱することができる。なお、家庭用コンセントに接続可能なプラグが取り付けられたケーブルと接続する構成を採用する場合は、例えばＤＣ１２Ｖ若しくはＤＣ２４Ｖの入力電圧をＡＣ１００Ｖの出力電圧に変換するインバータを使用し、このインバータと接続することにより、シガーソケットから電源を取ることができる。
【発明を実施するための最良の形態】
【００１１】
以下、本発明の実施形態の一例について、図１〜図７を用いて説明する。図１は、第１実施例のシャワー用水加熱装置の構成を説明する図であり、（ａ）は同装置の一部切り欠き平面図、（ｂ）は液体加熱用ヒータの平面図、図２は、第１実施例の構成を説明する図であり、（ａ）は正面図、（ｂ）は液体加熱用ヒータの正面図である。
【００１２】
本実施例のシャワー用水加熱装置Ｓは、図１〜図２に示すように、車両に収容可能なサイズとされた貯水タンク１と、この貯水タンク１の貯水槽１ａの内面に取り付けた液体加熱用ヒータ２ａ，２ｂとを備えるとともに、液体加熱用ヒータ２ａ，２ｂの端子部２ｃに、一端に車両のシガーソケット接続可能なプラグ３ａが取り付けられたケーブル３を接続した構成である。
【００１３】
貯水タンク１は、図２（ａ）に示すように、シャワー用水をためておく箱状の貯水槽１ａと、貯水槽１ａの上部を覆い密閉する蓋１ｂとで構成され、車両のトランクや座席、床面などに置いて運搬できるように、貯水タンク１の長さ、幅、高さを車両に収容可能なサイズとしている。蓋１ｂは、留め具１ｈと図２（ａ）の背面に存在する蝶番により貯水槽１ａに固定されており、留め具１ｈを外せば蝶番を支点として開閉できるようになっている。
【００１４】
貯水タンク１のサイズの具体的な一例としては、図１（ａ）における左右方向の長さを９００ｍｍ、同図における上下方向の幅を４３０ｍｍ、図２（ａ）における上下方向の高さを３５０ｍｍとすることができ、この場合、貯水槽１ａに７０〜８０リットルのシャワー用水をためることができる。なお、貯水タンク１のサイズについては、車両の規格に応じて適宜変更することが可能であり、例えば長さ７００〜１１００ｍｍ、幅３００〜６００ｍｍ、高さ２５０〜５００ｍｍの範囲とすることも可能である。
【００１５】
貯水槽１ａと蓋１ｂは、適温まで加熱したシャワー用水が電源の供給をＯＦＦにした後でも直ぐに冷えないように、断熱材を内部に介装させた断熱構造を有したものを使用している。
【００１６】
液体加熱用ヒータ２ａ，２ｂの、貯水槽１ａの側面の内側の面への取り付けは、貯水槽１ａの側面の４ケ所に孔をあけ、液体加熱用ヒータ２ａ，２ｂを差し込み、ナット、パッキン、ワッシャーで締め付ける方法により行う。本実施例では、シリコンゴム製のパッキンを使用し、確実にシールするようにしている。また、本発明の装置は、車両で運搬することを想定しており、運搬時に振動が加わるため、貯水槽１ａの側面の内側の面への取り付けのみでは液体加熱用ヒータ２ａ，２ｂが安定しない。そこで、貯水槽１ａの底面に、図１（ｂ）、図２（ｂ）に示すような取付台２ｄを設け、取付台２ｄの上に液体加熱用ヒータ２ａ，２ｂを載せ、螺子と金具で固定するようにしている。
【００１７】
液体加熱用ヒータ２ａ，２ｂは、貯水槽１ａの側面の内側面に取り付ける例を示しているが、例えば、貯水槽１ａの底面に取り付けていても良い。貯水槽１ａの「内面」とは、側面に限らず、例えば底面でも良いという意味である。
【００１８】
また、本実施例では、液体加熱用ヒータ２ａ，２ｂの端子部２ｃに、シガーソケット接続可能なプラグ３ａが取り付けられたケーブル３を接続する例を示したが、本発明はこれに限るものではなく、端子部２ｃに、一端に家庭用コンセントに接続可能なプラグが取り付けられたケーブルを接続しても良い。
【００１９】
本発明の装置は、海水浴やマリンスポーツでの利用の外、例えば山、河川などでのキャンプや、地震、台風などの被災地においても利用でき、さらに老人ホームや在宅介護サービスの訪問先の施設又は住宅で要介護者を入浴させる際にも利用できる。したがって、海水浴場、キャンプ地のように元々電源の無い場所や、地震、台風の被災地のようにガス、電気、水道等のライフラインが破壊された場所での利用にはシガーソケットから電源を取る構成を利用するが、例えば老人ホームや在宅介護サービスでの利用においては、訪問の際にシガーソケットから電源を取って１杯目のシャワー用水を作っておき、さらに訪問先の住宅又は施設のコンセントを利用して２杯目のシャワー用水を作ることができる。よって、このような目的で使用する場合は、家庭用コンセントも利用できるように構成することが、より望ましい。
【００２０】
具体的には、本発明の装置には家庭用コンセントに接続可能なプラグが取り付けられたケーブルのみを接続し、ＤＣ／ＡＣインバータを使用してシガーソケットから電源を取るようにしても良いし、あるいは、本発明の装置に、シガーソケット用、家庭用コンセント用の何れのケーブルでも直接接続できるように構成しても良い。
【００２１】
１ｃは、蓋１ｂの左右両端に設けた小窓を示しており、図２（ａ）に示すように、外側から持ち上げて開閉することができる。こうすることにより、小窓１ｃを開けるだけで貯水槽１ａ内の水量を簡単に確認することができる。また、後記するシャワー装置の取水部を貯水槽１ａ内に入れる際も、蓋１ｂ全体を開閉する必要がなく、小窓１ｃから出し入れできるので、便利である。
【００２２】
１ｄは、蓋１ｂの中央に設けたエアー抜き用の孔を示している。本発明の装置は、車両で運搬しながらシャワー用水を加熱するため、貯水タンク１の密閉性を保ちつつ、蒸気を外側に逃がす必要がある。そのためには、蓋１ｂに、エアー抜き用に小さな孔を設けておくことが望ましい。
【００２３】
本実施例は、図１（ａ）、図２（ａ）に示すように、貯水タンク１の上部を覆う蓋１ｂを備え、前記蓋１ｂに小窓を設けるとともに、エアー抜き用の孔１ｃを設けた構成を採用している。よって、上述した小窓、エアー抜き用の孔による効果が、何れも得られるものである。
【００２４】
１ｇは、貯水槽１ａの底面付近に設けたドレン孔を示しており、普段は栓により密閉されている。シャワーを使用後に貯水槽１ａ内に水が残った場合は、栓を抜いてドレン孔１ｇを開放する。貯水槽１ａを傾けなくても、栓を抜くだけで水を外部に排出できるので、便利である。
【００２５】
１ｅは、貯水槽の側面の外側の最下部の位置に設けた車輪を示している。貯水タンクに７０リットルの水を入れた場合、本発明の装置の重量は約７０〜８０ｋｇになり、車両に出し入れするには相当の力が必要である。
【００２６】
そこで、本発明では、図２（ａ）に示すように、貯水タンク１の底又は外側面の所要の位置に車輪１ｅを取付けて、貯水タンク１の底１ｆを地面から浮かせた状態とする構成を採用する方がより望ましい。こうすることにより、例えばハッチバック式の車の跳ね上げ式後部ドアを開けて本発明の装置を出し入れする場合でも、車輪１ｅを転がすことで移動が楽になる。貯水タンク１の「外側面」とは、側面の外側の面の意味である。
【００２７】
図３は、第１実施例のシャワー用水加熱装置Ｓの側面図であり、４は、容量切替スイッチ４ａ、温度調節器４ｂ等を設けた電源パネルを示している。図４は、電源パネル４の拡大図であり、４ｃは電源スイッチを、４ｄはパワーランプを示している。
【００２８】
本実施例では、図１（ｂ）、図２（ｂ）、図３に示すように、液体加熱用ヒータ２ａ，２ｂは、貯水槽１ａの内面に取り付けられた所要の形状のシースヒータであって、高容量ヒータ２ａと低容量ヒータ２ｂの２系統からなり、高容量ヒータ２ａは低容量ヒータ２ｂよりも貯水槽１ａの底面からの高さが高い位置に取り付けられ、さらに、何れの系統のヒータを使用するかを選択する容量切替スイッチ４ａを備えた構成を採用している。なお、本実施例では、高容量ヒータ２ａと低容量ヒータ２ｂのサイズ、形状は同一としているので、図１（ｂ）の平面図においては高容量ヒータ２ａのみが表れている。
【００２９】
すなわち、本実施例では、シース内部に絶縁状態でヒーター線を収納したシースヒータを液体加熱用ヒータ２ａ，２ｂとして利用している。シースヒーターは、接液部となるシースの内部に絶縁状態でヒーター線を収納したものであり、シースとヒーター線との間にマグネシア等の無機絶縁粉末が充填されている。ヒーター線としては、例えばニクロム線を使用することができる。
【００３０】
貯水槽１ａ内のシャワー用水を液体加熱用ヒータ２ａ，２ｂで加熱する際に、効率よく対流を生じさせるために、適宜曲げ加工を施したシースヒータを、貯水槽１ａの底面付近に位置するように取り付けている。具体的には、図２（ｂ）において、高容量ヒータ２ａは貯水槽１ａの底からの高さＬ３が８０ｍｍとなる位置に、低容量ヒータ２ｂは貯水槽１ａの底からの高さＬ４が４０ｍｍの位置となるように取り付けている。なお、Ｌ１は、最低水位のラインを示している。
【００３１】
上記の点に加え、本実施例では、液体加熱用ヒータ２ａ，２ｂを、高容量ヒータ２ａと低容量ヒータ２ｂの２系統に分割し、何れの系統を使うかを選択する容量切替スイッチ４ａを電源パネル４に設けている。具体的には、高容量ヒータ２ａの容量は１５００Ｗであり、低容量ヒータ２ｂの容量は８００Ｗである。こうすることにより、通常は低容量ヒータ２ｂを選択するが、特に水の量が多い場合や出来るだけ迅速に水を温める必要がある場合は高容量ヒータ２ａを選択するなど、用途に応じて細かな調整ができるという利点がある。
【００３２】
また、第１実施例では、前述のとおり、高容量ヒータ２ａは低容量ヒータ２ｂよりも貯水槽１ａの底面からの高さが高い位置に取り付けている。低容量ヒータ２ｂは温まるのが遅く、水の対流が生じ難いため、低容量ヒータ２ｂを貯水槽１ａの底面により近い位置に取り付ける方が効率が良いからである。本発明では、第１実施例のように、高容量ヒータ２ａは低容量ヒータ２ｂよりも貯水槽１ａの底面からの高さが高い位置に取り付けるとともに、高容量ヒータは貯水槽１ａの底面からの高さが８０ｍｍ以下の位置となるように取り付けることが、より望ましい。
【００３３】
本発明者は、高容量ヒータ２ａを使用した場合と低容量ヒータ２ｂを使用した場合で、貯水槽１ａ内の水を暖めるのに夫々どれぐらいの時間がかかるかについて試験を行った。試験は、貯水槽１ａに４０リットルの水を入れた場合と７０リットルの水を入れた場合について行った。結果は、表１、表２の通りとなった。
【００３４】
【表１】
2010048489.tif 000003
【００３５】
【表２】
2010048489.tif 000004
【００３６】
なお、本実施例では、シースヒータは両端に端子がある両端取付タイプで、四角形の環状型のものを使用する例を開示しているが、本発明はこれに限らない。両端取付タイプを使用する場合でも、形状はＵ型やＭ型、渦巻き型のものを使用することも可能である。また、片端子型タイプのものを使用しても良い。
【００３７】
接液部となるシースには、ステンレス鋼を使用している。より具体的には、例えばＣｒ約１８％とＮｉ約８％を含むＳＵＳ３０４ステンレス鋼を使用することができる。
【００３８】
しかし、本発明のシャワー用水加熱装置を、海水浴やウインドサーフィン、スキューバダイビング、ジェットスキー等のマリンスポーツで使用することを想定する場合は、塩水に対する耐食性を高めておくことが望ましい。
【００３９】
ステンレス鋼の耐食性は、表面に生成する不働態皮膜と呼ばれる薄い皮膜の性能によって左右されるが、この皮膜の主な成分はＣｒとＭｏ（モリブテン）であり、これらの濃度が高いほど不働態皮膜が緻密となり耐食性が向上する。特に、Ｍｏ濃度の不働態皮膜の耐食性を向上させる効果は、Ｃｒ濃度の約３倍とされており、高い効果が得られる。
【００４０】
したがって、海水浴やマリンスポーツ等で使用することを想定する場合は、例えばＣｒ１８％とＮｉ１２％を含み、それにＭｏを２％添加して耐食性、耐孔食性をさらに向上させたＳＵＳ３１６ステンレス鋼を使用することが、特に望ましい。本実施例では、液体加熱用ヒータ２ａ，２ｂの接液部は、ＳＵＳ３１６ステンレス鋼により構成している。
【００４１】
図５は、本発明の温度制御手段及び過熱防止手段５の一例を説明する図で、５ａは温度制御用センサを、５ｂは過熱防止用センサを、５ｃは電気回路を示している。
【００４２】
本実施例は、図１〜図５に示すように、貯水槽１ａ内の水温を検出する温度制御用センサ５ａと、貯水槽１ａ内の水温を設定する温度調節器４ｂと、温度制御用センサ５ａによる検出温度と温度調節器４ｂによる設定温度を比較して液体加熱用ヒータ２ａ，２ｂへの通電をＯＮ／ＯＦＦ制御する温度制御手段５とを備えた構成を採用している。
【００４３】
温度調節器４ｂは、図４に示すようなダイヤル設定式のもので、例えば６０℃までの範囲で可変的に温度の設定を可能としている。
【００４４】
温度制御用センサ５ａは、温度調節器４ｂによる設定温度よりも一定以上高い温度を検出したときは、電気回路５ｃにおいて、液体加熱用ヒータ２ａ，２ｂへの通電をＯＦＦとする。これと逆に、温度制御用センサ５ａが温度調節器４ｂによる設定温度よりも一定以上低い温度を検出したときは、電気回路５ｃにおいて、液体加熱用ヒータ２ａ，２ｂへの通電をＯＮとする。こうすることにより、貯水槽１ａ内の水は、温度調節器４ｂによる設定温度まで暖められた後は、平均してほぼ一定の温度の保つことができる。
【００４５】
また、本実施例では、図２（ｂ）及び図５に示すように、貯水槽１ａの底面付近に、水温が所定の上限温度よりも上昇していることを検出する過熱防止用センサ５ｂをさらに設け、前記過熱防止用センサ５ｂが上限温度以上の水温を検出したときは液体加熱用ヒータ２ａ，２ｂへの通電をＯＦＦとする過熱防止手段５を備えた構成を採用している。
【００４６】
具体的には、電気回路５ｃに、上限温度８０℃で作動する過熱防止用センサ５ｂを組み込んで、過熱防止手段５としている。過熱防止用センサ５ｂの検出温度が８０℃になると液体加熱用ヒータ２ａ，２ｂへの通電をＯＦＦの状態とする。こうすることにより、何らかの原因で温度制御用センサ５ａが作動しなかった場合でも、過熱防止用センサ５ｂによって８０℃になれば通電が遮断されるので、空焚きなどの危険な事故を防止できる。
【００４７】
図６は、第２実施例のシャワー用水加熱装置Ｓ２の構成を説明する図である。貯水タンク１０が貯水槽１０ａと蓋１０ｂで構成される点は第１実施例と同じであるが、蓋１０ｂに設ける小窓１０ｃは１箇所としている点、温度調節器４０ｂを含む電源パネル４０を高い位置に設けている点、液体加熱用ヒータ２０は１系統のみで、立体的に屈曲させたシースヒータを用いている点が、第１実施例と相違する。また、第２実施例では、液体加熱用ヒータ２０の端子部に、一端に家庭用コンセントに接続可能なプラグ３０ｂが取り付けられたケーブル３０を接続している。
【００４８】
図７は、シャワー用水加熱装置Ｓ１，Ｓ２と併せて利用するのに適したシャワー装置Ｓ３の構成を説明する図である。６１は取水部、６２はシャワーヘッド、６３は吐出部を示しており、取水部６１とシャワーヘッド６２はホース６４で連結されている。６５は、取水部６１に電源を供給するためのケーブルであり、シガーソケットに接続可能なプラグ６６が一端に取り付けられている。シャワー装置Ｓ３は、取水部６１を貯水槽１ａ，１０ａの中に入れ、プラグ６５をシガーソケットに接続し、ホース６４を小窓１ｃ，１０ｃから外部に出し、シャワーヘッド６２を手に持って使用する。プラグ６５をシガーソケットに接続することにより、取水部６１から水が吸い上げられ、吐出部６３からシャワーが放水される。
【００４９】
本発明は上記の例に限らず、各請求項に記載された技術的思想の範囲内で、適宜実施の形態を変更しても良いことは言うまでもない。例えば、第１実施例では、液体加熱用ヒータとして、四角形の環状型のシースヒータを用いる場合の例を開示したが、液体加熱用ヒータはＭ型、Ｕ型等どのような形状であっても良い。
【産業上の利用可能性】
【００５０】
本発明のシャワー用水加熱装置は、海水浴や釣り、マリンスポーツ、山、河川などでのキャンプ、地震、台風などの被災地において利用でき、さらに老人ホームや在宅介護サービスの訪問先の施設や住宅でも利用できるものである。
【図面の簡単な説明】
【００５１】
【図１】第１実施例の構成を説明する図であり、（ａ）は同装置の一部切り欠き平面図、（ｂ）は液体加熱用ヒータと取付部材の平面図である。
【図２】第１実施例の構成を説明する図であり、（ａ）は同装置の正面図、（ｂ）は液体加熱用ヒータと取付部材の正面図である。
【図３】第１実施例のシャワー用水加熱装置の側面図である。
【図４】第１実施例の電源パネルの構成を説明する図である。
【図５】第１実施例の温度制御手段及び過熱防止手段の構成を説明する図である。
【図６】第２実施例のシャワー用水加熱装置の構成を説明する図である。
【図７】シャワー装置の構成を説明する図である。
【符号の説明】
【００５２】
Ｓ，Ｓ２  シャワー用水加熱装置
１，１０  貯水タンク
１ａ，１０ａ  貯水槽
１ｂ，１０ｂ  蓋
１ｃ，１０ｃ  小窓
１ｄ  エアー抜き用の孔
１ｅ  車輪
１ｆ  底
２ａ  液体加熱用ヒータ（高容量ヒータ）
２ｂ  液体加熱用ヒータ（低容量ヒータ）
２ｃ  端子部
２０  液体加熱用ヒータ
３，３０  ケーブル
３ａ  シガーソケットに接続可能なプラグ
３０ｂ  家庭用コンセントに接続可能なプラグ
４    電源パネル
４ａ  容量切替スイッチ
４ｂ  温度調節器
５    温度制御手段及び過熱防止手段
５ａ  温度制御用センサ
５ｂ  過熱防止用センサ
【図１】
2010048489.tif 000005
【図２】
2010048489.tif 000006
【図３】
2010048489.tif 000007
【図４】
2010048489.tif 000008
【図５】
2010048489.tif 000009
【図６】
2010048489.tif 000010
【図７】
2010048489.tif 000011